(57)【特許請求の範囲】
【請求項１】
電池が収納される電池室を有する電子機器であって、
前記電池室に収納されている前記電池を前記電池室から取り出す動作が開始されたときに、前記電池室に収納されている前記電池の電池情報を取得する第１の取得手段と、
前記電池が前記電池室に装着されたときに、前記電池室に収納された前記電池の電池情報を取得する第２の取得手段と、
前記第１の取得手段にて取得された前記電池情報および前記第２の取得手段にて取得された前記電池情報を表示する表示手段と、を有することを特徴とする電子機器。
【請求項２】
前記電池情報は、電池固有のＩＤと残容量を含むものであって、
前記第１の取得手段にて取得された前記電池情報および前記第２の取得手段にて取得された前記電池情報を前記ＩＤ毎に記憶する記憶手段を有し、
前記記憶手段は、前記電池情報に含まれる前記ＩＤが一致していれば、前記第１の取得手段にて取得された前記電池情報であっても、前記第２の取得手段にて取得された前記電池情報であっても、前記ＩＤ毎に記憶している前記電池情報を更新することを特徴とする請求項１記載の電子機器。
【請求項３】
電池が収納される電池室を有する電子機器の制御方法であって、
前記電池室に収納されている前記電池が前記電池室から取り出す動作が開始されたときに、前記電池室に収納されている前記電池の電池情報を取得する第１の取得ステップと、
前記電池が前記電池室に装着されたときに、前記電池室に収納された前記電池の電池情報を取得する第２の取得ステップと、
前記第１の取得ステップにて取得された前記電池情報および前記第２の取得ステップにて取得された前記電池情報を表示する表示ステップと、を有することを特徴とする電子機器の制御方法。
【請求項４】
前記電池情報は、電池固有のＩＤと残容量を含むものであって、
前記第１の取得手段ステップ取得された前記電池情報および前記第２の取得ステップにて取得された前記電池情報を前記ＩＤ毎に記憶する記憶ステップを有し、
前記記憶ステップにおいて、前記電池情報に含まれる前記ＩＤが一致していれば、前記第１の取得ステップにて取得された前記電池情報であっても、前記第２の取得ステップにて取得された前記電池情報であっても、前記ＩＤ毎に記憶している前記電池情報を更新することを特徴とする請求項３記載の電子機器の制御方法。
【発明の詳細な説明】
【技術分野】
【０００１】
本発明は電子機器及びその制御方法、特に、電池を電源として動作した場合に電池の容量を確認する手段を有する電子機器及びその制御方法に関するものである。
【背景技術】
【０００２】
従来、この種の電子機器においては、電圧などを用いて電池の状態を確認し、電子機器の表示部材（例えばＬＣＤのセグメント表示部材やＴＦＴ液晶によるキャラクタ表示部材、ＬＥＤによる表示部材）を用いて表示するものがある。一例として図１６に示すようなものがある。関連する従来技術としては、例えば特許文献１記載の技術が挙げられる。
【先行技術文献】
【特許文献】
【０００３】
【特許文献１】特開平７−１７６３３３号公報
【発明の概要】
【発明が解決しようとする課題】
【０００４】
上記の電子機器において、長時間の連続使用や摂氏０度以下の環境下における使用に際しては、電池の能力が足りず複数の電池を携帯することが一般的になっている。しかし、従来の電池では、主にデータの正確性やコストの観点から電池単体に電池の容量を表示する部材が備え付けられているものは少ない。
【０００５】
このため、複数の電池を携帯した場合に、電子機器から取り出した電池の容量を確認するためには、電池をもう一度、電子機器に取り付けなければならないという煩わしさがあった。
【０００６】
本発明の目的は、電子機器から取り出した電池の残量を確認することができる電子機器及びその制御方法を提供することにある。
【課題を解決するための手段】
【０００７】
上記目的を達成するために、本発明の電子機器は、電池が収納される電池室を有する電子機器であって、前記電池室に収納されている前記電池を前記電池室から取り出す動作が開始されたときに、前記電池室に収納されている前記電池の電池情報を取得する第１の取得手段と、前記電池が前記電池室に装着されたときに、前記電池室に収納された前記電池の電池情報を取得する第２の取得手段と、前記第１の取得手段にて取得された前記電池情報および前記第２の取得手段にて取得された前記電池情報を表示する表示手段と、を有することを特徴とする。
【発明の効果】
【０００９】
本発明によれば、上記のような構成により、電子機器から取り出した電池の残量を確認することができる。
【図面の簡単な説明】
【００１０】
【図１】本発明の実施の形態に係る電子機器としての電子カメラの構成を示すブロック図である。
【図２】図１における画像処理装置によって実行される撮影動作処理の手順を示すフローチャートである。
【図３】図２に続く撮影動作処理の手順を示すフローチャートである。
【図４】図２のステップＳ１０１で実行される初期設定処理の手順を示すフローチャートである。
【図５】図３のステップＳ１１０で実行される測距・測光処理の手順を示すフローチャートである。
【図６】図３のステップＳ１１３で実行される撮影処理の手順を示すフローチャートである。
【図７】図１における画像処理装置によって実行される電池情報表示処理の手順を示すフローチャートである。
【図８】電池の温度補正処理の補正量を示か図である。
【図９】図１における画像処理装置によって実行される電池遮断処理の手順を示すフローチャートである。
【図１０】図１の電子カメラにおける電池残量表示の第１の例を示す図である。
【図１１】図１の電子カメラにおける電池残量表示の第２の例を示す図である。
【図１２】図１の電子カメラにおける電池残量表示の第３の例を示す図である。
【図１３】図１の電子カメラに装着される電池の形態の一例を示す図である。
【図１４】図１の電子カメラにおける電池情報のテーブルの一例を示す図である。
【図１５】電源着脱検知部７１の詳細を説明する図である。
【図１６】従来の電子機器の電池残量表示の一例を示す図である。
【発明を実施するための形態】
【００１１】
以下、本発明の実施の形態を図面を参照しながら詳細に説明する。
【００１２】
図１は、本発明の実施の形態に係る電子機器としての電子カメラの構成を示すブロック図である。
【００１３】
図１において、本電子カメラは、画像処理装置１００、記録媒体２００、２１０、レンズユニット３００を備える。
【００１４】
以下、詳細な構成を動作と併せて説明する。
【００１５】
シャッタ１２は、撮像素子１４の露光量を制御する機能を有する。撮像素子１４は光学像を電気信号に変換する。
【００１６】
レンズユニット３００内の撮影レンズ３１０に入射した光線は、絞り３１２、レンズマウント３０６、１０６、シャッタ１２を通じて一眼レフ方式により導かれた撮像素子１４上に光学像として結像する。
【００１７】
Ａ／Ｄ変換器１６は、撮像素子１４から出力されるアナログ信号をディジタル信号に変換する。タイミング発生回路１８は、撮像素子１４、Ａ／Ｄ変換器１６及びＤ／Ａ変換器２６にクロック信号や制御信号を供給し、メモリ制御回路２２及びシステム制御回路５０によって制御される。
【００１８】
画像処理回路２０は、Ａ／Ｄ変換器１６からのデータあるいはメモリ制御回路２２からのデータに対して所定の画素補間処理や色変換処理を行う。画像処理回路２０は、必要に応じて撮像した画像データを用いて所定の演算処理を行う。
【００１９】
また、画像処理回路２０は、得られた演算結果に基づき、システム制御回路５０が露光（シャッタ）制御部４０及び測距制御部４２を制御するためのＴＴＬ（スルー・ザ・レンズ）方式のＡＦ（オートフォーカス）処理を行う。また、ＡＥ（自動露出）処理及びＥＦ（フラッシュ調光）処理を行う。また、画像処理回路２０は、撮像した画像データを用いて所定の演算処理を行い、得られた演算結果に基づいてＴＴＬ方式のＡＷＢ（オートホワイトバランス）処理を行う。
【００２０】
本実施の形態では、測距制御部４２及び測光制御部４６を専用に備えている。従って、システム制御回路５０は、測距制御部４２及び測光制御部４６を用いてＡＦ処理、ＡＥ処理、ＥＦ処理の各処理を行うようにし、画像処理回路２０を用いてＡＦ処理、ＡＥ処理、ＥＦ処理の各処理を行わないようにしてもよい。
【００２１】
また、測距制御部４２及び測光制御部４６を用いてＡＦ処理、ＡＥ処理、ＥＦ処理の各処理を行い、さらに、画像処理回路２０を用いてＡＦ処理、ＡＥ処理、ＥＦ処理の各処理を行うようにしてもよい。
【００２２】
メモリ制御回路２２は、Ａ／Ｄ変換器１６、タイミング発生回路１８、画像処理回路２０、画像表示メモリ２４、Ｄ／Ａ変換器２６、メモリ３０及び圧縮・伸長回路３２を制御する。
【００２３】
Ａ／Ｄ変換器１６からのデータは、画像処理回路２０及びメモリ制御回路２２を介して、あるいは直接、メモリ制御回路２２を介して画像表示メモリ２４あるいはメモリ３０に書き込まれる。
【００２４】
画像表示部２８はＴＦＴ方式のＬＣＤからなる。画像表示メモリ２４に書き込まれた表示用の画像データはＤ／Ａ変換器２６を介して画像表示部２８に表示される。撮像された画像データを画像表示部２８で逐次表示する場合、電子ファインダ機能を実現することが可能である。
【００２５】
この画像表示部２８は、画像データだけでなく、各設定情報の表示や、電池残量の表示なども行う。電池残量の表示を行う場合は、システム制御回路５０がデータを生成し、メモリ制御回路２２を介して画像表示メモリ２４へデータを書き込んだ後に、Ｄ／Ａ変換器２６を介して画像表示を行う。
【００２６】
また、画像表示部２８は、システム制御回路５０の指示に従って表示のオン／オフを任意に行うことが可能であり、表示をオフにした場合、画像処理装置１００の電力消費を大幅に低減することができる。
【００２７】
メモリ３０は、撮影された静止画像や動画像を格納するためのものであり、所定枚数の静止画像や所定時間の動画像を格納するのに十分な記憶容量を有している。従って、複数枚の静止画像を連続して撮影する連写撮影やパノラマ撮影の場合にも、高速かつ大量の画像書き込みをメモリ３０に対して行うことが可能である。また、メモリ３０は、システム制御回路５０の作業領域としても使用することが可能である。
【００２８】
圧縮・伸長回路３２は、適応離散コサイン変換（ＡＤＣＴ）などにより画像データを圧縮伸長するものであり、メモリ３０に格納された画像を読み込んで圧縮処理あるいは伸長処理を行い、処理を終えたデータをメモリ３０に書き込む。
【００２９】
シャッタ制御部４０は、測光制御部４６からの測光情報に基づいて絞り３１２を制御する絞り制御部３４０と連携しながらシャッタ１２を制御する。ＡＦ処理を行うための測距制御部４２は、レンズユニット３００内の撮影レンズ３１０に入射した光線を絞り３１２、レンズマウント３０６、１０６、ミラー１３０及び測距用サブミラー（図示せず）を介して一眼レフ方式で入射する。このことにより、光学像として結像された画像の合焦状態を測定する。
【００３０】
温度計４４は、撮影環境における周囲温度を検出する。温度計４４が撮像素子１４内にある場合、その暗電流をより正確に予想することが可能である。
【００３１】
ＡＥ処理を行うための測光制御部４６は、レンズユニット３００内の撮影レンズ３１０に入射した光線を、絞り３１２、レンズマウント３０６、１０６、ミラー１３０及び測光用サブミラーを介して一眼レフ方式で入射する。このことにより、光学像として結像された画像の露出状態を測定する。
【００３２】
測光制御部４６は、フラッシュ部４８と連携することにより、ＥＦ処理機能も有する。フラッシュ部４８は、ＡＦ補助光の投光機能及びフラッシュ調光機能を有する。
【００３３】
尚、前述したように、撮像素子１４によって撮像された画像データを用いて画像処理回路２０により演算された演算結果に基づき、システム制御回路５０が以下の制御を行うことが可能である。即ち、システム制御回路５０は、シャッタ制御部４０、絞り制御部３４０、測距制御部３４２に対し、ビデオＴＴＬ方式を用いた露出制御及びＡＦ制御を行うことが可能である。
【００３４】
また、測距制御部４２による測定結果と、撮像素子１４によって撮像された画像データを画像処理回路２０によって演算した演算結果とを用いて、ＡＦ制御を行うようにしてもよい。さらに、測光制御部４６による測定結果と、撮像素子１４によって撮像された画像データを画像処理回路２０によって演算した演算結果とを用いて露出制御を行うようにしてもよい。
【００３５】
画像処理装置１００全体を制御するシステム制御回路５０は既知のＣＰＵなどを内蔵する。メモリ５２は、システム制御回路５０の動作用の定数、変数、プログラムなどを記憶する。
【００３６】
表示部５４は、システム制御回路５０でのプログラムの実行に応じて、文字、画像、音声などで動作状態やメッセージなどを表示する液晶表示装置、スピーカなどを有し、画像処理装置１００の操作部近辺の視認し易い単数あるいは複数箇所に設置されている。
【００３７】
表示部５４は、ＬＣＤ、ＬＥＤ、発音素子などの組み合わせにより構成されている。また、表示部５４の一部の機能は光学ファインダ１０４内に設けられている。
【００３８】
表示部５４の表示内容のうち、ＬＣＤなどに表示するものとしては、シングルショット／連写撮影表示、セルフタイマ表示、圧縮率表示、記録画素数表示、記録枚数表示、残撮影可能枚数表示、シャッタスピード表示、絞り値表示、露出補正表示などがある。
【００３９】
同様に、フラッシュ表示、赤目緩和表示、マクロ撮影表示、ブザー設定表示、エラー表示、複数桁の数字による情報表示、記録媒体２００、２１０の着脱状態表示、レンズユニット３００の着脱状態表示、通信Ｉ／Ｆ動作表示などがある。さらに、日付・時刻表示、外部コンピュータとの接続状態を示す表示などがある。
【００４０】
また、表示部５４の表示内容のうち、光学ファインダ１０４内に表示するものとしては、合焦表示、撮影準備完了表示、手振れ警告表示、フラッシュ充電表示、フラッシュ充電完了表示、シャッタスピード表示などがある。同様に、絞り値表示、露出補正表示、記録媒体書き込み動作表示などがある。
【００４１】
さらに、表示部５４の表示内容のうち、ＬＥＤなどに表示するものとしては、例えば、合焦表示、撮影準備完了表示、手振れ警告表示、フラッシュ充電表示、フラッシュ充電完了表示、記録媒体書き込み動作表示などがある。同様に、マクロ撮影設定通知表示、二次電池充電表示などがある。
【００４２】
また、表示部５４の表示内容のうち、ランプなどに表示するものとしては、例えば、セルフタイマ通知などがある。このセルフタイマ通知はＡＦ補助光と共用してもよい。
【００４３】
不揮発性メモリ５６は、後述するプログラムなどが格納された電気的に消去・記録可能なものであり、フラッシュメモリやＥＥＰＲＯＭなどが用いられる。
【００４４】
スイッチ６０、６２、６４、６６、６８及び６９、操作部７０はシステム制御回路５０の各種動作指示を入力するためのものである。スイッチ、ダイヤル、タッチパネル、視線検知によるポインティング、音声認識装置などの単数あるいは複数の組み合わせで構成される。これら操作部の詳細を以下に示す。
【００４５】
モードダイアルスイッチ６０は、自動撮影モード、プログラム撮影モード、シャッタ速度優先撮影モード、絞り優先撮影モード、マニュアル撮影モード、焦点深度優先（デプス）撮影モード、ポートレート撮影モードなどの各機能撮影モードを設定可能である。同様に、風景撮影モード、接写撮影モード、スポーツ撮影モード、夜景撮影モード、パノラマ撮影モードなどの各機能撮影モードを切り替えて設定可能である。
【００４６】
シャッタスイッチ（ＳＷ１）６２は、シャッタボタン（図示せず）の操作途中でオンとなり、ＡＦ処理、ＡＥ処理、ＡＷＢ処理、ＥＦ処理などの動作開始を指示する。
【００４７】
シャッタスイッチ（ＳＷ２）６４は、シャッタボタン（図示せず）の操作完了でオンとなる。シャッタスイッチ（ＳＷ２）６４は、撮像素子１４から読み出した信号を、Ａ／Ｄ変換器１６、メモリ制御回路２２を介してメモリ３０に書き込む露光処理、画像処理回路２０やメモリ制御回路２２での演算を用いた現像処理という一連の処理の動作開始を指示する。同様に、メモリ３０から画像データを読み出し、圧縮・伸長回路３２で圧縮を行い、記録媒体２００、２０１に画像データを書き込む記録処理という一連の処理の動作開始を指示する。
【００４８】
再生スイッチ６６は、撮影モード状態で撮影した画像をメモリ３０あるいは記録媒体２００、２１０から読み出して画像表示部２８に表示する再生動作の開始を指示する。
【００４９】
単写／連写スイッチ６８は、シャッタスイッチＳＷ２を押した場合、１コマの撮影を行って待機状態とする単写モードと、シャッタスイッチＳＷ２を押している間、連続して撮影を行い続ける連写モードとを設定可能である。
【００５０】
ＩＳＯ感度スイッチ６９は、撮像素子１４あるいは画像処理回路２０におけるゲインの設定を変更することによりＩＳＯ感度を設定できる。
【００５１】
操作部７０は、各種ボタンやタッチパネルなどからなり、メニューボタン、セットボタン、マクロボタン、マルチ画面再生改ページボタン、フラッシュ設定ボタン、単写／連写／セルフタイマ切り替えボタンなどがある。
【００５２】
同様に、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタンなどがある。
【００５３】
同様に、パノラマモードなどの撮影及び再生を実行する際に各種機能の選択及び切り替えを設定する選択／切り替えボタン、パノラマモードなどの撮影及び再生を実行する際に各種機能の決定及び実行を設定する決定／実行ボタンなどがある。
【００５４】
同様に、画像表示部２８のオン／オフを設定する画像表示オン／オフスイッチ、撮影直後に撮影した画像データを自動再生するクイックレビュー機能を設定するクイックレビューオン／オフスイッチなどがある。
【００５５】
同様に、ＪＰＥＧ圧縮の圧縮率を選択するため、あるいは撮像素子の信号をそのままディジタル化して記録媒体に記録するＲＡＷモードを選択するためのスイッチである圧縮モードスイッチがある。
【００５６】
同様に、再生モード、マルチ画面再生・消去モード、ＰＣ接続モードなどの各機能モードを設定可能な再生スイッチ、ＡＦモード設定スイッチなどがある。ＡＦモード設定スイッチは、ＳＷ１を押した際にオートフォーカス動作を開始し、一旦合焦した場合、その合焦状態を保ち続けるワンショットＡＦモードとＳＷ１を押している間、連続してオートフォーカス動作を続けるサーボＡＦモードとを設定可能である。
【００５７】
また、上記プラスボタン及びマイナスボタンの各機能は、回転ダイアルスイッチを備えることによって、より軽快に数値や機能を選択することが可能となる。
【００５８】
電源着脱部検知部７１は、電池または電源が本体から着脱されたかどうかを検知する部分で、その検知スイッチの出力はシステム制御回路５０へ接続されている。
【００５９】
ここで図１５を用いて電源着脱検知部を説明する。図１５は本発明を適用したデジタルスチルカメラを底面から見た図である。４１０は電池室４１４を閉鎖する電池蓋であり（ハッチング指示部）、説明のために一部を破り、蓋の中が見られるように図示している。電池８８は電池室４１４に装着されている。電池８８は電池室４１４に対して上下方向に着脱可能となっている。
【００６０】
電池蓋４１０は、カメラ本体４０１に固定されたヒンジ軸４１０ａを回転中心としてカメラ本体４０１に対して回動可能に保持される。図１５では、閉じた状態を示している。４１１は電池蓋４１０を開くときのラッチ解除ツマミ（網掛け指示部）で、図中左方へ変移させる事により電池蓋４１０の閉じ状態のラッチを解除できる。
【００６１】
４１２は電池ロックレバーであり、ヒンジ軸部４１２ａを回転中心としてカメラ本体４０１に対して回動可能に保持されている。図１６では、電池８８の一部に電池ロックレバー４１２の先端部がオーバーラップして着脱方向（カメラの上下方向）に対して電池２０２をロックした状態即ち電池蓋４１０を開けた時にも収納位置を維持した状態を示している。
【００６２】
４１３は電池蓋開閉検知スイッチであり、電池蓋４１０の開閉状態を検知するスイッチの移動軸先端部を破線で示したものである。移動軸部が紙面に垂直方向（カメラの上下方向）に移動するように配置している。電池８８を電池室４１４に収納された状態から取り出す際の動作について説明する。カメラの使用者は、電池蓋４１０を開ける時、先ずラッチ解除ツマミ４１１を左方へ動かして電池蓋４１０のカメラ本体４０１に対するラッチを解除する。そして、ヒンジ軸４１０ａを回転中心として電池蓋４１０を回動させる。
【００６３】
電池蓋４１０を開いていくと電池蓋開閉検知スイッチ４１３の移動軸が電池蓋４１０の内側で押し込まれた状態から開放されて、電池蓋４１０が開かれていることを検出する。このとき電池８８は、電池ロックレバー４１２の作用で電源接辺（図示せず）と接続している収納状態からすぐに飛び出すことはない。従って、電池蓋開閉検知スイッチ４１３が電池蓋４１０の開きを検出したときには、カメラの電源はしっかりと導通状態を維持している。次に、電池８８自体を取り出すために、電池ロックレバー４１２を図中反時計方向へ回転させて電池ロックレバー４１２の先端部が電池８８の取り出される移動軌跡よりはずれた状態（オーバーラップがなくなった状態）として、電池８８の取り出しを行う。また、電池８８を電池室４１４に収納する際の動作は、電池ロックレバー４１２をオーバーラップがなくなった状態としたうえで、電池８８を電池室４１４に挿入する。電池８８を電池室４１４に挿入し終わると、電池ロックレバー４１２の先端部が電池８８の端面と当接する。その後、電池蓋４１０を閉じる方向に回動させると、電池蓋開閉検知スイッチ４１３の移動軸が電池蓋４１０の内側で押し込まれたのち、ラッチがかかる。このような構造で、電池蓋４１０の開閉状態を電池蓋開閉検知スイッチ４１３で検出することができる。
【００６４】
電源スイッチ７２は、画像処理装置１００の電源オン、電源オフの各モードを切り替え設定可能である。また、画像処理装置１００に接続されたレンズユニット３００、外部ストロボ、記録媒体２００、２１０などの各種付属装置の電源オン、電源オフの設定も合わせて切り替え設定可能である。
【００６５】
電源制御部８２は、電池検出回路、ＤＣ−ＤＣコンバータ、通電するブロックを切り替えるスイッチ回路などから構成されている。そして、電池の装着の有無、電池の種類、電池残量の検出を行い、その検出結果及びシステム制御回路５０の指示に基づいてＤＣ−ＤＣコンバータを制御し、必要な電圧を必要な期間、記録媒体を含む各部に供給する。
【００６６】
アルカリ電池やリチウム電池などの一次電池、ＮｉＣｄ電池、ＮｉＭＨ電池、Ｌｉ−ｉｏｎ二次電池などの二次電池からなる電源８８と電源制御部８２は、コネクタ８４、８６で接続される。電源８８は、本実施の形態ではＬｉ−ｉｏｎ二次電池を想定しているが、電池の種類を限定しているわけではない。
【００６７】
Ｌｉ−ｉｏｎ二次電池の一例を図１３に示す。本実施の形態のＬｉ−ｉｏｎ二次電池は上面右下にその固有ＩＤが記されている。
【００６８】
インターフェース（Ｉ／Ｆ）９０及び９４は、メモリカードやハードディスクなどの記録媒体とのインターフェースである。コネクタ９２及び９６はメモリカードやハードディスクなどの記録媒体との接続を行う。記録媒体着脱検知部９８は、コネクタ９２、９６に記録媒体２００、２１０が装着されているか否かを検知する。
【００６９】
尚、本実施の形態では、記録媒体を取り付けるインターフェース及びコネクタが２系統装備されているが、記録媒体を取り付けるインターフェース及びコネクタは単数あるいは任意の系統数分装備されていてもよい。また、異なる規格のインターフェース及びコネクタとして、ＰＣＭＣＩＡカードやＣＦ（コンパクトフラッシュ(登録商標)）カードなどの規格に準拠したものを用いてもよい。
【００７０】
さらに、インターフェース９０、９４、コネクタ９２、９６をＰＣＭＣＩＡカードやＣＦカードなどの規格に準拠したものを用いて構成した場合、以下のカードを接続することより、以下の転送制御が可能となる。即ち、他のコンピュータやプリンタなどの周辺機器との間で画像データや画像データに付属した管理情報を相互に転送することが可能である。
【００７１】
接続されるカードとしては、ＬＡＮカード、モデムカード、ＵＳＢカード、ＩＥＥＥ１３９４カード、ＳＣＳＩカード、ＰＨＳなどの各種通信カードがある。
【００７２】
光学ファインダ１０４は、撮影レンズ３１０に入射した光線を、一眼レフ方式によって、絞り３１２、レンズマウント３０６、１０６、ミラー１３０、１３２を介して導き、光学像として結像させて表示することが可能である。
【００７３】
これにより、画像表示部２８による電子ファインダ機能を使用することなく、光学ファインダ１０４だけを用いて撮影を行うことが可能である。また、光学ファインダ１０４内には、表示部５４の一部の機能、例えば、合焦表示、手振れ警告表示、フラッシュ充電表示、シャッタスピード表示、絞り値表示、露出補正表示の各機能が設けられている。
【００７４】
通信部１１０は、ＲＳ２３２Ｃ、ＵＳＢ、ＩＥＥＥ１３９４、ＳＣＳＩ、モデム、ＬＡＮ、無線通信などの各種通信機能を有する。コネクタ１１２は、通信部１１０により画像処理装置１００を他の機器と接続するためのものであり、無線通信を行う場合のアンテナでもよい。
【００７５】
インターフェース１２０は、レンズマウント１０６内で画像処理装置１００をレンズユニット３００と接続するためのものである。コネクタ１２２は、画像処理装置１００をレンズユニット３００と電気的に接続する。
【００７６】
コネクタ１２２は、画像処理装置１００とレンズユニット３００との間で制御信号、状態信号、データ信号などを伝え合うと共に、各種電圧の電流を供給する機能も備えている。また、コネクタ１２２は、電気通信だけでなく、光通信、音声通信などを伝達する構成
としてもよい。
【００７７】
ミラー１３０、１３２は、撮影レンズ３１０に入射した光線を、一眼レフ方式によって光学ファインダ１０４に導く。ミラー１３２は、クイックリターンミラーの構成にしてもハーフミラーの構成にしてもどちらでもよい。
【００７８】
記録媒体２００は、メモリカードやハードディスクなどである。記録媒体２００は、半導体メモリや磁気ディスクなどから構成される記録部２０２、画像処理装置１００とのインターフェース２０４、及び画像処理装置１００との接続を行うコネクタ２０６を有している。
【００７９】
記録媒体２１０は、記録媒体２００と同様、メモリカードやハードディスクなどである。記録媒体２１０は、半導体メモリや磁気ディスクなどから構成される記録部２１２、画像処理装置１００とのインターフェース２１４、及び画像処理装置１００との接続を行うコネクタ２１６を有している。
【００８０】
レンズユニット３００は交換レンズタイプのものである。レンズマウント３０６は、レンズユニット３００を画像処理装置１００と機械的に結合する。レンズマウント３０６内には、レンズユニット３００を画像処理装置１００と電気的に接続する各種機能が含まれている。
【００８１】
インターフェース３２０は、レンズマウント３０６内でレンズユニット３００を画像処理装置１００と接続するためのものである。コネクタ３２２は、レンズユニット３００を画像処理装置１００と電気的に接続する。
【００８２】
コネクタ３２２は、画像処理装置１００とレンズユニット３００との間で制御信号、状態信号、データ信号などを伝え合うと共に、各種電流が供給され、あるいは電流を供給する機能を備えている。また、コネクタ３２２は電気信号だけでなく、光信号、音声信号などを伝達する構成としてもよい。
【００８３】
絞り制御部３４０は、測光制御部４６からの測光情報に基づいて、シャッタ１２を制御するシャッタ制御部４０と連携しながら、絞り３１２を制御する。測距制御部３４２は、撮影レンズ３１０のフォーカシングを制御する。
【００８４】
ズーム制御部３４４は、撮影レンズ３１０のズーミングを制御する。レンズ制御部３５０は、レンズユニット３００全体を制御する。レンズ制御部３５０は、動作用の定数、変数、プログラムなどを記憶するメモリの機能も備えている。また、レンズ制御部３５０は、レンズユニット３００固有の番号などの識別情報、管理情報、開放絞り値や最小絞り値、焦点距離などの機能情報、現在や過去の各設定値などを保持する不揮発性メモリの機能も備えている。
【００８５】
また、電源制御部８２とシステム制御回路５０の間にはインターフェース８０が設けられる。また、システム制御回路５０には電源着脱検知部７１が接続される。
【００８６】
上記構成を有する電子カメラの動作について説明する。図２、図３、図４、図５及び図６は画像処理装置１００の撮影動作処理手順を示すフローチャートである。この処理プログラムは不揮発性メモリ５６などの記憶媒体に格納されており、メモリ５２にロードされてシステム制御回路５０内のＣＰＵによって実行される。
【００８７】
図２において、電池交換などの電源投入により、システム制御回路５０は、フラグや制
御変数などを初期化し、画像処理装置１００の各部に対して必要な所定の初期設定を行う（ステップＳ１０１）。システム制御部５０は、電源スイッチ７２の設定位置を判別し、電源スイッチ７２が電源オフに設定されているか否かを判別する（ステップＳ１０２）。
【００８８】
電源スイッチ７２が電源オフに設定されている場合、各表示部の表示を終了状態に変更し、フラグや制御変数などを含む必要なパラメータや設定値、設定モードを不揮発性メモリ５６に記録（記憶）する。そして、電源制御部８２により画像表示部２８を含む画像処理装置１００各部の不要な電源を遮断するなどの所定の終了処理を行った後（ステップＳ１０３）、ステップＳ１０２の処理に戻る。
【００８９】
一方、電源スイッチ７２が電源オンに設定されていた場合、システム制御回路５０は、電源制御部８２により電池などの電源８８の残容量や動作状況が画像処理装置１００の動作に問題があるか否かを判別する（ステップＳ１０４）。問題があると判別された場合、表示部５４に画像の表示や音声の出力により所定の警告を行った後（ステップＳ１０５）、ステップＳ１０２の処理に戻る。
【００９０】
一方、電源８８に問題がないと判別された場合、システム制御回路５０は、モードダイアルスイッチ６０の設定位置を判断し、モードダイアルスイッチ６０が撮影モードに設定されているか否かを判別する（ステップＳ１０６）。モードダイアルスイッチ６０がその他のモードに設定されている場合、システム制御回路５０は、選択されたモードに応じた処理を実行し（ステップＳ１０７）、実行後にステップＳ１０２の処理に戻る。
【００９１】
一方、モードダイアルスイッチ６０が撮影モードに設定されている場合、記録媒体２００、２０１が装着されているか否かの判別を行う。また、記録媒体２００、２１０に記録された画像データの管理情報の取得の有無を判別する。さらに、及び記録媒体２００、２１０の動作状態が画像処理装置１００の動作、特に記録媒体に対する画像データの記録再生動作に問題があるか否かを判別する（ステップＳ１０８）。
【００９２】
問題があると判別された場合、表示部５４に画像の表示や音声の出力により所定の警告を行った後（ステップＳ１０５）、ステップＳ１０２の処理に戻る。
【００９３】
次に、図３において、シャッタスイッチＳＷ１が押されているか否かを判別し（ステップＳ１０９）、シャッタスイッチＳＷ１が押されていない場合、ステップＳ１０２の処理に戻る。
【００９４】
一方、シャッタスイッチＳＷ１が押されている場合、システム制御回路５０は、測距処理を行って撮影レンズ３１０の焦点を被写体に合わせ、測光処理を行って絞り値及びシャッタ速度を決定する測距・測光処理を行う（ステップＳ１１０）。測光処理では、必要であればフラッシュの設定を行う。この測距・測光処理の詳細については、後述する。
【００９５】
そして、シャッタスイッチＳＷ２が押されているか否かを判別し（ステップＳ１１１）、シャッタスイッチＳＷ２が押されていない場合、シャッタスイッチＳＷ１が離されたか否かを判別する（ステップＳ１１２）。
【００９６】
シャッタスイッチＳＷ１が離されるかシャッタスイッチＳＷ２が押されるまでステップＳ１１１及びステップＳ１１２の処理を繰り返す。ステップＳ１１２でシャッタスイッチＳＷ１が離された場合、ステップＳ１０２の処理に移行する。
【００９７】
次に、撮影動作を実行する（ステップＳ１１３）。システム制御回路５０は、メモリ制御回路２２、必要に応じて画像処理回路２０を用いて、メモリ３０の所定領域に書き込まれた撮影画像データを読み出す。そして、システム制御回路５０の内部メモリあるいはメモリ５２に記憶した演算結果を用いて、ＡＷＢ処理、ガンマ変換処理、色変換処理を含む各種現像処理を行う（ステップＳ１１４）。
【００９８】
システム制御回路５０は、メモリ３０の所定領域に書き込まれた画像データを読み出して、設定されたモードに応じた画像圧縮処理を圧縮・伸長回路３２により行う。そして、メモリ３０の画像記憶バッファ領域の空き画像部分に、撮影して一連の処理を終えた画像データの書き込みを行う（ステップＳ１１５）。
【００９９】
システム制御回路５０は、メモリ３０の画像記憶バッファ領域に記憶された画像データを読み出す。そして、インターフェース９０、９４、コネクタ９２、９６を介して、メモリカードやコンパクトフラッシュ(登録商標)カードなどの記録媒体２００、２１０に読み出した画像データを書き込む記録処理を開始する（ステップＳ１１６）。
【０１００】
この記録開始処理は、メモリ３０の画像記憶バッファ領域の空き画像部分に、撮影して一連の処理を終えた画像データの書き込みが新たに行われる度に、その画像データに対して実行される。
【０１０１】
尚、記録媒体２００、２０１に画像データの書き込みを行っている間、書き込み動作中であることを示すために、表示部５４に例えばＬＥＤを点滅させるなどの記録媒体書き込み動作表示を行う。
【０１０２】
さらに、システム制御回路５０は、シャッタスイッチＳＷ１が押されているか否かを判別する（ステップＳ１１７）。シャッタスイッチＳＷ１が離された状態である場合、ステップＳ１０２の処理に戻る。一方、シャッタスイッチＳＷ１が押された状態である場合、ステップＳ１１１の処理へ移る。これにより、撮影に関する一連の処理が終了する。
【０１０３】
図４は、図２のステップＳ１０１で実行される初期設定処理の手順を示すフローチャートである。
【０１０４】
このフローチャートを用いて電池がカメラに装着されたときに、電池情報を取得し、電子機器内の不揮発性メモリ５６に書き込むシーケンスを説明する。
【０１０５】
図４において、電池をカメラに装着したのち、電池蓋４１０が閉じられると、電池蓋開閉検知スイッチ４１３が開状態から閉状態に変化する。システム制御回路５０は、電池蓋開閉検知スイッチ４１３にて、電池蓋４１０が開状態から閉状態に変化するかどうかを繰り返し検出する（Ｓ４００）。ステップＳ４００にて、電池蓋４１０が閉じたことが検出されると、装着された電池の電池情報を読み出す（ステップＳ４０１）（第２の取得手段）。読み出した電池情報と同一ＩＤの電池情報が不揮発性メモリ５６内に存在するかどうか確認する（ステップＳ４０２）。
【０１０６】
同じＩＤの電池情報が存在する場合には、不揮発性メモリ５６内に存在する電池情報の取得日時が正しいかどうか判別する（ステップＳ４０３）。具体的にはカメラ本体が持っている現在の日時情報との比較によって正常値なのか、異常値なのかを判断している。この結果、電池情報取得日時が正しいと判定される場合には同じＩＤの電池情報を更新する（ステップＳ４０４）。
【０１０７】
ステップＳ４０５は、電池から読み出した電池情報が不揮発性メモリ５６に記憶されていないＩＤの電池情報だった場合の処理である。この場合には、電池から読み出した電池情報を不揮発性メモリ５６へ書き込みを行う。次に、システム制御回路５０は、フラグなどの初期設定を行い（ステップＳ４０６）、本処理を終了してメインの処理へ復帰する。
【０１０８】
図５は、図３のステップＳ１１０で実行される測距・測光処理の手順を示すフローチャートである。
【０１０９】
測距・測光処理では、システム制御回路５０と、絞り制御部３４０あるいは測距制御部３４２との間の各種信号のやり取りは、インターフェース１２０、コネクタ１２２、コネクタ３２２、インターフェース３２０及びレンズ制御部３５０を介して行われる。
【０１１０】
図５において、システム制御回路５０は、撮像素子１４、測距制御部４２及び測距制御部３４２を用いて、ＡＦ処理を開始する（ステップＳ２０１）。
【０１１１】
システム制御回路５０は、撮影レンズ３１０に入射した光線を、絞り３１２、レンズマウント３０６、１０６、ミラー１３０、測距用サブミラー（図示せず）を介して、測距制御部４２に入射させることにより、光学像として結像された画像の合焦状態を判断する。そして、システム制御回路５０は、測距が合焦と判断されるまで、測距制御部３４２を用いて撮影レンズ３１０を駆動しながら、測距制御部４２を用いて合焦状態を検出するＡＦ制御を実行する（ステップＳ２０２、Ｓ２０３）。
【０１１２】
ステップＳ２０３で測距が合焦と判断された場合、システム制御回路５０は、撮影画面内の複数の測距点の中から合焦した測距点を決定する。そして、決定した測距点データと共に測距データ及び／または設定パラメータをシステム制御回路５０の内部メモリあるいはメモリ５２に記憶する（ステップＳ２０４）。
【０１１３】
続いて、システム制御回路５０は、測光制御部４６を用いてＡＥ処理を開始する（ステップＳ２０５）。システム制御回路５０は、撮影レンズ３１０に入射した光線を、絞り３１２、レンズマウント３０６、１０６、ミラー１３０、１３２及び測光用レンズ（図示せず）を介して、測光制御部４６に入射させる。そして、光学像として結像された画像の露出状態を測定し、露出が適正と判断されるまでシャッタ制御部４０を用いて測光処理を行う（ステップＳ２０６、Ｓ２０７）。
【０１１４】
ステップＳ２０７で、露出が適正であると判別された場合、システム制御回路５０は、測光データ及び／または設定パラメータをシステム制御回路５０の内部メモリあるいはメモリ５２に記憶する。
【０１１５】
尚、ステップＳ２０６の測光処理で検出した露出結果と、モードダイアルスイッチ６０によって設定された撮影モードとに応じて、システム制御回路５０では絞り値（Ａｖ値）及びシャッタ速度（Ｔｖ値）が決定される。
【０１１６】
ここで、決定されたシャッタ速度に応じて、システム制御回路５０は、撮像素子１４の電荷蓄積時間を決定し、この決定された同じ電荷蓄積時間で撮影処理及びダーク取り込み処理をそれぞれ行う。
【０１１７】
ステップＳ２０６の測光処理で得られた測定データにより、システム制御回路５０は、フラッシュが必要であるか否かを判別する（ステップＳ２０８）。フラッシュが必要である場合、フラッシュフラグをセットし、充電が完了するまでフラッシュ部４８を充電する（ステップＳ２０９、Ｓ２１０）。そして、フラッシュ部４８の充電が完了すると、本処理を終了してメインの処理に復帰する。
【０１１８】
図６は、図３のステップＳ１１３で実行される撮影処理の手順を示すフローチャートで
ある。
【０１１９】
この撮影処理では、システム制御回路５０と、絞り制御部３４０あるいは測距制御部３４２との間の各種信号のやり取りは、インターフェース１２０、コネクタ１２２、コネクタ３２２、インターフェース３２０及びレンズ制御部３５０を介して行われる。
【０１２０】
図６において、システム制御回路５０は、ミラー１３０をミラー駆動部（図示せず）によってミラーアップ位置に移動させる（ステップＳ３０１）。そして、システム制御回路５０の内部メモリあるいはメモリ５２に記憶された測光データに従い、絞り制御部３４０によって絞り３１２を所定の絞り値まで駆動する（ステップＳ３０２）。
【０１２１】
システム制御回路５０は、撮像素子１４の電荷クリア動作を行った後（ステップＳ３０３）、撮像素子１４の電荷蓄積を開始する（ステップＳ３０４）。そして、システム制御回路５０は、シャッタ制御部４０によってシャッタ１２を開き（ステップＳ３０５）、撮像素子１４の露光を開始する（ステップＳ３０６）。
【０１２２】
そして、フラッシュフラグによりフラッシュ部４８によるフラッシュが必要であるか否かを判別し（ステップＳ３０７）、必要である場合、フラッシュ部４８を発光させる（ステップＳ３０８）。
【０１２３】
システム制御回路５０は、測光データに従って撮像素子１４の露光終了を待ち（ステップＳ３０９）、露光が終了すると、シャッタ制御部４０によってシャッタ１２を閉じ（ステップＳ３１０）、撮像素子１４の露光を終了する。
【０１２４】
システム制御回路５０は、絞り制御部３４０によって絞り３１２を開放の絞り値まで駆動し（ステップＳ３１１）、ミラー１３０をミラー駆動部（図示せず）によってミラーダウン位置に移動させる（ステップＳ３１２）。
【０１２５】
設定した電荷蓄積時間が経過したか否かを判別し（ステップＳ３１３）、設定した電荷蓄積時間が経過した場合、システム制御回路５０は、撮像素子１４の電荷蓄積を終了した後（ステップＳ３１４）、撮像素子１４から電荷信号を読み出す（ステップＳ３１５）。
【０１２６】
そして、システム制御回路５０は、Ａ／Ｄ変換器１６、画像処理回路２０、メモリ制御回路２２を介して、あるいはＡ／Ｄ変換器１６から直接、メモリ制御回路２２を介してメモリ３０の所定領域に撮影画像データを書き込む。一連の処理を終了すると、本処理を終了してメインの処理に復帰する。
【０１２７】
次に、図７のフローチャートと図８、図１４を用いて電池情報を電子カメラの表示部材に表示する手段について説明する。
【０１２８】
図７は、図１における画像処理装置によって実行される電池情報表示処理の手順を示すフローチャートである。
【０１２９】
図７において、まず、ステップＳ７０１で、システム制御回路５０は、不揮発性メモリ（記憶手段）５６に記憶されている電池情報を取得する。このとき、不揮発性メモリ５６には図１４に示すような内容が格納されている。
【０１３０】
ＢＡＴＩＤは電池固有のＩＤである。このＩＤには電池の型番・製造年月日・製造番号・製造工場の情報が書かれておりユーザーはこのデータを書き込むことができないようになっている。
【０１３１】
ＵＳＥＲＮＡＭＥはユーザーがわかりやすいように電池に名前を付けた場合にその内容を格納する。ＤＡＴＥはこの電池情報が不揮発性メモリ５６へ書き込まれた時刻である。ＦＵＥＬは書き込まれた時間における電池の残容量である。
【０１３２】
ステップＳ７０２では、図１４に示す電池情報のテーブルと不揮発性メモリ５６に記憶されている電池情報を比較する。
【０１３３】
ステップＳ７０３では、システム制御回路５０は、図１の温度計４４から温度情報を取得する（温度取得手段）。ステップＳ７０４では、システム制御回路５０は、図８の温度補正テーブルとステップＳ７０３で取得した情報を用いて温度補正（温度による電池の残容量補正）を行う（補正手段）。
【０１３４】
ステップＳ７０５では、システム制御回路５０は、図１０〜１２に示すような表示を行い、本処理を終了する。図１０は記憶されている電池が１本の場合であり、図１１は記憶されている電池が２本の場合である。図１２は、装着されている電池と装着されていない電池との情報を合算して表示したものである。このとき、図１０、図１１のタイプと、図１２のタイプをユーザーに選択させて表示することも可能である。
【０１３５】
次に、図９のフローチャートを用いて電池が電子機器から取り出されたときの処理について説明する。
【０１３６】
図９は、図１における画像処理装置によって実行される電池遮断処理の手順を示すフローチャートである。
【０１３７】
図９において、まず、システム制御回路５０は、電池蓋開閉検知スイッチ４１３が閉状態から開状態に変化したかどうか判別を行う（ステップＳ９０１）。電池蓋開閉検知スイッチ４１３によって電池蓋４１０が開いたことを検出しても、電池は電池ロックレバー４１２によって電池室内に保持されている。したがって、電池蓋開閉検知スイッチ４１３が閉状態から開状態に変化してから、電池が取り外されるまでに電源遮断処理が全て行われるだけの時間は確保してある。
【０１３８】
電池蓋開閉検知スイッチ４１３が閉状態から開状態に変化した場合は、システム制御回路５０は電池情報を取得する（ステップＳ９０２）（第１の取得手段）。次に、取得した電池情報を更新する（ステップＳ９０３）（更新手段）。具体的には図１の不揮発性メモリ５６に記憶されている電池情報を上書きする。そして最後に電源遮断処理を行い（ステップＳ９０４）、本処理を終了する。
【０１３９】
本実施の形態では、ミラー１３０をミラーアップ位置、ミラーダウン位置に移動して撮影動作を行う場合を示したが、ミラー１３０をハーフミラーの構成として、移動せずに撮影動作を行うようにしてもよい。
【０１４０】
また、記録媒体２００、２１０は、ＰＣＭＣＩＡカードやコンパクトフラッシュ(登録
商標)などのメモリカード、ハードディスクなどに限定されない。即ち、マイクロＤＡＴ、光磁気ディスク、ＣＤ−Ｒ、ＣＤ−ＲＷなどの光ディスク、ＤＶＤなどの相変化型光ディスクなどで構成されていてもよい。さらには、記録媒体２００、２１０がメモリカードとハードディスクなどが一体となった複合媒体であってもよい。この場合、複合媒体から一部が着脱自在な構成であってもよい。
【０１４１】
上記実施の形態では、記録媒体２００、２１０は画像処理装置１００と分離しており、任意に接続可能なものであるとしたが、いずれかあるいは全ての記録媒体が画像処理装置１００に固定されたままであってもよい。また、画像処理装置１００に、記録媒体２００、２１０が単数あるいは複数の任意の個数接続可能な構成であってもよい。
【符号の説明】
【０１４２】
１４  撮像素子
２２  メモリ制御回路
２４  画像表示メモリ
２８  画像表示部
４４  温度計
５０  システム制御回路
５６  不揮発性メモリ
６０  モードダイアル
６２  シャッタスイッチＳＷ１
６４  シャッタスイッチＳＷ２
７１  電源着脱検知部
８８  電源
１００  画像処理装置
２００  記録媒体
２１０  記録媒体
３００  レンズユニット
３１０  撮影レンズ
４１３  電池蓋開閉検知スイッチ
【図１】
0005518148.tif 000002
【図２】
0005518148.tif 000003
【図３】
0005518148.tif 000004
【図４】
0005518148.tif 000005
【図５】
0005518148.tif 000006
【図６】
0005518148.tif 000007
【図７】
0005518148.tif 000008
【図８】
0005518148.tif 000009
【図９】
0005518148.tif 000010
【図１０】
0005518148.tif 000011
【図１１】
0005518148.tif 000012
【図１２】
0005518148.tif 000013
【図１３】
0005518148.tif 000014
【図１４】
0005518148.tif 000015
【図１５】
0005518148.tif 000016
【図１６】
0005518148.tif 000017